(57)【特許請求の範囲】
【請求項１】
ツイスト電線の被覆電線に設けられた接続端子が取り付けられるコネクタハウジングであって、
前記接続端子を取り付ける取付部が複数設けられた配置台部を備え、
該取付部は、前記配置台部へ向かって前記接続端子を厚み方向に取付許容する構成であり、
前記配置台部と、該配置台部に取り付けられた前記接続端子を覆うカバー部とで別体により構成され、
前記カバー部と前記配置台部とに、互いに係合して抜け止めするハウジング抜止部を設け、
前記ハウジング抜止部により前記カバー部と前記配置台部とが係合した際に、前記接続端子に設けられた係合孔に係合する抜け止め突起を前記カバー部に設けた
コネクタハウジング。
【請求項２】
前記配置台部は、
前記複数の取付部が横並びに配置され、
前記配置台部に配置された取付部の先端側に、該取付部への前記接続端子の挿入を許容する開放部を備え、
前記取付部を、
前記接続端子を収納する収納空間がそれぞれの間に形成された複数の仕切り部材と、
前記配置台部における前記接続端子の長手方向に並ぶ前記仕切り板の間に配置され、前記接続端子を挟持する挟持部材とで構成し、
前記長手方向における、前記装着突起よりも前方に有する前記仕切り部材の間隔を、前記接続端子における相手方端子に接続する接続部を固定可能に該接続部の幅に相当する幅で形成し、
前記長手方向における、前記装着突起よりも後方に有する前記仕切り部材の間隔を、前記接続端子のインシュレーションバレルを固定可能に該インシュレーションバレルの幅に相当する幅で形成し、
前記挟持部材を、
前記接続端子のワイヤーバレルが収納されて外側へ変形すると内側へ復帰する方向に弾性力が働く弾性材により形成した
請求項１に記載のコネクタハウジング。
【請求項３】
前記挟持部材は、
前記接続端子を抜け止めする抜止部が設けられている
請求項２に記載のコネクタハウジング。
【請求項４】
前記接続端子の長手方向の位置規制を行う長手方向位置規制部を備えた
請求項１から３のいずれか１つに記載のコネクタハウジング。
【請求項５】
前記接続端子を前記配置台部とで挟んで被覆するカバー部を備え、
該カバー部を開閉可能に形成した
請求項１から４のいずれか１つに記載のコネクタハウジング。
【請求項６】
接続端子を有する被覆電線が複数本ツイストされたツイスト電線と、
前記接続端子が取り付けられた請求項１から５のいずれか１つに記載のコネクタハウジングとを備えた
コネクタ。
【請求項７】
接続端子を有する被覆電線を複数本ツイストされたツイスト電線をコネクタハウジングに取り付けてコネクタを製造するコネクタ製造方法であって、
前記コネクタハウジングに備えた配置台部の取付部に前記接続端子を厚み方向に取り付ける取付ステップと、
前記取付部に取り付けた前記接続端子を、前記配置台部とともに前記コネクタハウジングに備えたカバー部に挿入して収納するとともに、前記カバー部と前記配置台部とに設けたハウジング抜止部を互いに係合して抜け止めするステップとを有し、
前記ハウジング抜止部により前記カバー部と前記配置台部とが係合した際に、前記接続端子に設けられた係合孔に、前記カバー部に設けられた抜け止め突起が係合することにより、前記接続端子を固定することを特徴とする
コネクタ製造方法。
【発明の詳細な説明】
【技術分野】
【０００１】
この発明は、例えばツイスト電線が接続されて利用されるようなコネクタ、コネクタハウジング、およびコネクタの製造方法に関する。
【背景技術】
【０００２】
従来、複数の被覆電線の先端部がコネクタハウジングに並べて収納されたコネクタが提供されている。このコネクタに用いる被覆電線として、近年、ツイスト電線を用いるものが提案されている。このツイスト電線は、２本の被覆電線を撚り合わせ（ツイスト）したものである。ツイストにより、各被覆電線から発生する磁界の向きが逆向きになるため、各被覆電線は、互いに発生磁界を打ち消すことができる。これにより、ツイスト電線は、電磁誘導の影響を少なくすることができ、漏話や外部ノイズも減少させることができる。
【０００３】
ここで、コネクタハウジングには、複数の被覆電線の先端部が挿入されて固定される。ツイスト電線の場合、ツイストされた複数の被覆電線の先端部の端子の位置および方向を合わせることが作業上困難であるため、先端部の端子を同時に挿入して固定することは難しい。このため、先端部分のある程度を撚り戻し、その上で端子を一本ずつ挿入する作業が必要となる。そうすると、撚り戻した部分で発生磁界を打ち消す効果が得られないか減少することになり、通信品質が低下することになる。
【０００４】
これを防止するものとして、ツイスト電線の撚り戻し部に電線保持部材を取り付ける端末処理構造が提案されている（特許文献１参照）。この構造は、撚り戻し部に電線保持部材を取り付けることで、撚り戻し部分の各被覆電線を近接させて導体間距離を調整するものである。これにより、インピーダンスを整合させることができるとされている。
【０００５】
しかし、この構造によると、ツイスト電線の各被覆電線の太さに応じて複数種類の電線保持部材を用意しなければならないという問題点がある。また、撚り戻し部分の導体間距離を電線保持部材の取付によって調整するものであるから、この電線保持部材の取付作業に手間がかかるという問題点もある。また、電線保持部材を取り付ける部分は、コネクタハウジングから被覆電線が出てきている部分になるため、作業しづらいという問題点がある。特に複数の被覆電線をコネクタハウジングに取り付ける場合に、電線保持部材を取り付ける必要のない隣の被覆電線が電線保持部材の取付作業の邪魔になるという問題点もある。
【先行技術文献】
【特許文献】
【０００６】
【特許文献１】特開２００４−７１４０４号公報
【発明の概要】
【発明が解決しようとする課題】
【０００７】
この発明は、上述の問題点に鑑み、ツイスト電線の先端をコネクタハウジングに容易に固定することができ、かつ通信品質の低下を防止できるコネクタ、コネクタハウジング、およびコネクタの製造方法を提案し、製造効率と品質を向上させることを目的とする。
【課題を解決するための手段】
【０００８】
この発明は、ツイスト電線の被覆電線に設けられた接続端子が取り付けられるコネクタハウジングであって、前記接続端子を取り付ける取付部が複数設けられた配置台部を備え、該取付部は、前記配置台部へ向かって前記接続端子を厚み方向に取付許容する構成であり、前記配置台部と、該配置台部に取り付けられた前記接続端子を覆うカバー部とで別体により構成され、前記カバー部と前記配置台部とに、互いに係合して抜け止めするハウジング抜止部を設け、前記ハウジング抜止部により前記カバー部と前記配置台部とが係合した際に、前記接続端子に設けられた係合孔に係合する抜け止め突起を前記カバー部に設けたコネクタハウジングであることを特徴とする。
【０００９】
前記接続端子は、圧着により被覆電線に取り付ける圧着端子、あるいは溶接により被覆電線に取り付ける端子など、適宜の端子により構成することができる。またこの接続端子は、雌型接続端子とする、あるいは雄型接続端子とするなど、被覆電線に取り付ける適宜の端子で構成することができる。
【００１０】
前記取付部と前記配置台部は、別体によって形成されて合体する構成とする、あるいは一体に構成されるなど、適宜の構成とすることができる。
【００１１】
この発明により、ツイスト電線の先端となる接続端子を容易に固定することができ、かつ通信品質の低下を防止することができる。すなわち、接続端子を厚み方向に取り付けることができるため、従来のように長手方向に挿入する場合であれば撚り戻しが必要であったところを、撚り戻しを必要とせずに取り付けることができる。
【００１２】
また上述したように、前記コネクタハウジングは、前記配置台部と、該配置台部に取り付けられた前記接続端子を覆うカバー部とで別体により構成され、前記カバー部と前記配置台部とに、互いに係合して抜け止めするハウジング抜止部を設けることにより、配置台部にツイスト電線の接続端子を取り付けてから配置台部とカバー部とを接続することができるため、容易に作業することができる。また、接続した配置台部とカバー部とをハウジング抜止部により抜け止めして固定することができる。
【００１３】
この発明の態様として、前記配置台部は、前記複数の取付部が横並びに配置され、前記配置台部に配置された取付部の先端側に、該取付部への前記接続端子の挿入を許容する開放部を備え、前記取付部を、前記接続端子を収納する収納空間がそれぞれの間に形成された複数の仕切り部材と、前記配置台部における前記接続端子の長手方向に並ぶ前記仕切り板の間に配置され、前記接続端子を挟持する挟持部材とで構成し、前記長手方向における、前記装着突起よりも前方に有する前記仕切り部材の間隔を、前記接続端子における相手方端子に接続する接続部を固定可能に該接続部の幅に相当する幅で形成し、前記長手方向における、前記装着突起よりも後方に有する前記仕切り部材の間隔を、前記接続端子のインシュレーションバレルを固定可能に該インシュレーションバレルの幅に相当する幅で形成し、前記挟持部材を、前記接続端子のワイヤーバレルが収納されて外側へ変形すると内側へ復帰する方向に弾性力が働く弾性材により形成することができる。
【００１４】
上述したように、前記配置台部を、前記複数の取付部が横並びに配置されている構成とすることにより、ツイスト電線の接続端子を横並びの状態のままで厚み方向へ取り付けることができ、被覆電線の撚り戻し無く取り付けることを容易に実現できる。
【００１５】
また、上述したように、前記配置台部に配置された取付部の先端側に、該取付部への前記接続端子の挿入を許容する開放部を備えることにより、接続端子を厚み方向に取り付けて位置決めすることを容易に実現することができる。
【００１６】
また、上述したように、前記取付部は、前記接続端子を挟持する挟持部材で構成され、該挟持部材は、前記接続端子が収納されて外側へ変形すると内側へ復帰する方向に弾性力が働く弾性材により形成することができる。
【００１７】
前記挟持部材は、前記配置台部と同一素材（例えば樹脂など）で一体に形成する、あるいは別体（例えば弾性金属など）で形成して前記配置台部に取り付けるなど、適宜の部材によって構成することができる。
【００１８】
この態様により、接続端子を嵌め込み式でコネクタハウジングに取り付けることができ、作業の容易性と嵌め込み後の取り付けの安定性とを両立することができる。また、挟持部材が弾性を有するため、取り付け部位が様々な太さのツイスト電線をいずれも取り付けることができる。
【００１９】
またこの発明の態様として、前記挟持部材は、前記接続端子を抜け止めする抜止部が設けられている構成とすることができる。  
これにより、ツイスト電線の複数の接続端子を１つずつ挟持部材に取り付ける際に、次の接続端子の取り付け作業中に先に取り付けた接続端子が挟持部材から抜け出ることを防止でき、取り付け作業を容易にすることができる。
【００２０】
またこの発明の態様として、前記接続端子の長手方向の位置規制を行う長手方向位置規制部を備えることができる。  
これにより、相手方の接続端子が接続される際に接続端子の位置が長手方向にずれることを防止できる。
【００２１】
またこの発明の態様として、前記接続端子を前記配置台部とで挟んで被覆するカバー部を備え、該カバー部を開閉可能に形成することができる。  
これにより、配置台部にツイスト電線の接続端子を取り付けてから開閉するカバー部で被覆することができるため、容易に作業することができる。
【００２２】
またこの発明は、接続端子を有する被覆電線が複数本ツイストされたツイスト電線と、前記接続端子が取り付けられた上述したコネクタハウジングとを備えたコネクタとすることができる。
【００２３】
これにより、ツイスト電線を撚り戻さずとも容易に取り付けることができる性能の良いコネクタを容易に製造することができる。
【００２４】
またこの発明は、接続端子を有する被覆電線を複数本ツイストされたツイスト電線をコネクタハウジングに取り付けてコネクタを製造するコネクタ製造方法であって、前記コネクタハウジングに備えた配置台部の取付部に前記接続端子を厚み方向に取り付ける取付ステップと、前記取付部に取り付けた前記接続端子を、前記配置台部とともに前記コネクタハウジングに備えたカバー部に挿入して収納するとともに、前記カバー部と前記配置台部とに設けたハウジング抜止部を互いに係合して抜け止めするステップとを有し、前記ハウジング抜止部により前記カバー部と前記配置台部とが係合した際に、前記接続端子に設けられた係合孔に、前記カバー部に設けられた抜け止め突起が係合することにより、前記接続端子を固定することを特徴とする。
【００２５】
これにより、被覆電線を撚り戻すことなくツイスト電線をコネクタハウジングに容易に取り付けることができる。
【発明の効果】
【００２６】
この発明により、容易にツイスト電線の先端をコネクタハウジングに固定することができ、かつ通信品質の低下を防止することができる。
【図面の簡単な説明】
【００２７】
【図１】雌型の圧着端子を有するコネクタの外観を示す斜視図。
【図２】ハウジングカバーの外観を示す斜視図。
【図３】ハウジング台とツイストペアケーブルの外観を示す斜視図。
【図４】ツイストペアケーブルの外観を説明する説明図。
【図５】ツイストペアケーブルをハウジング台に取り付けた状態の斜視図。
【図６】取付時の構造を断面図により説明する説明図。
【図７】ツイストペアケーブル付きハウジング台とハウジングカバーの斜視図。
【図８】挿入途中のツイストペアケーブル付きハウジング台とハウジングカバーの斜視図。
【図９】コネクタの縦断面図。
【図１０】実施例２のコネクタハウジングとツイストペアケーブルの斜視図。
【図１１】実施例２のカバー部が開いている状態のコネクタの斜視図。
【図１２】実施例２のコネクタの斜視図。
【図１３】コネクタの構成を説明する説明図。
【発明を実施するための形態】
【００２８】
この発明の一実施形態を以下図面と共に説明する。  
【実施例１】
【００２９】
図１は、雌型の圧着端子を有するコネクタ１の外観を示す斜視図であり、図２はハウジングカバー２の外観を示す斜視図であり、図３はハウジング台３とツイストペアケーブル４の外観を示す斜視図であり、図４はツイストペアケーブル４の外観を説明する説明図である。
【００３０】
図１に示すように、コネクタ１は、ハウジングカバー２と、ハウジング台３と、ツイストペアケーブル４とで主に構成されている。このうちのハウジングカバー２とハウジング台３とでコネクタハウジング１０が構成されている。
【００３１】
図２に示すように、ハウジングカバー２は、全体が内部中空の略四角柱形状に形成され、内部の収納空間１７の一方（後方）が開放され、他方（前方）に複数の挿入穴１３が設けられている。
【００３２】
ハウジングカバー２の上面には、図示省略する雄型のコネクタ等に接続する際に挿入方向をガイドするガイドレール１１と、挿入後に抜け止めする抜け止め突起１２とを備えている。
【００３３】
ハウジングカバー２の収納空間１７には、下面の挿入穴１３側に抜け止め突起２１が設けられている。この抜け止め突起２１は、収納空間１７内側（図示上方）へ突出しており、収納空間１７外側（図示下方）へ押圧されると退避し、素材の弾性力によって退避位置からもとの位置へ戻ろうとする復帰方向への付勢を行う。この抜け止め突起２１は、挿入されたツイストペアケーブル４を抜け止めする。
【００３４】
また、ハウジングカバー２の収納空間１７には、下面の中央付近から開口１８側へ向かって一直線のガイド溝２５が設けられている。また、ハウジングカバー２の収納空間１７には、開口１８付近の幅方向両端に抜け止め凹部２３が設けられている。この抜け止め凹部２３は、挿入されたハウジング台３を抜け止めする。  
ハウジングカバー２の開口１８には、幅方向両側の壁部が凹状に切り欠かれた係合凹部１５が設けられている。
【００３５】
図３に示すように、ハウジング台３は、略板状の支持台部３１の上面に複数の仕切り板３２（３２ａ，３２ｂ）が横並びに突設されて構成されている。  
仕切り板３２は、幅方向の両側が高さの高い外部仕切り板３２ａで形成され、それ以外の内側が少し高さの低い内部仕切り板３２ｂで形成されている。
【００３６】
これらの仕切り板３２は、コネクタ１の接続方向（前後方向）に長い壁状に形成されており、幅方向に複数（この例では５つ）が等間隔に並行に並列配置されている。
【００３７】
各仕切り板３２の間には、ツイストペアケーブル４の先端部を収納する収納空間３８が形成される。この収納空間３８は、上面が開放されて上から下への圧着端子６の取り付けを許容する。そして、収納空間３８の後方も開放されており、ツイストペアケーブル４の被覆電線７が収納空間３８の外へ出るように構成されている。また、収納空間３８の前方の下部には、位置決め端面３３が設けられている。
【００３８】
また、仕切り板３２は、接続方向（前後方向）の中央付近で分断されている。これにより、該分断部付近に設けられた装着突起３５が広がる方向（幅方向）へ変形しても支障のないようにしている。
【００３９】
外部仕切り板３２ａは、一端に幅方向へ突出する係合突起３４が設けられている。この係合突起３４は、ハウジングカバー２の係合凹部１５に係合し、ハウジング台３がそれ以上ハウジングカバー２内に入り込まないように係止する。
【００４０】
また、外部仕切り板３２ａの係合突起３４付近の底部は、支持台部３１に接触しないようにスリット３４ａが設けられている。このスリット３４ａにより、外部仕切り板３２ａの係合突起３４付近の下部に、弾性抜け止め片３７が形成されている。
【００４１】
弾性抜け止め片３７は、接続方向先端部（前方先端部）が支持台部３１に接続された略棒状の部位であり、下面に抜け止め突起３７ａが設けられている。この抜け止め突起３７ａは、下方へ凸であって、前方側が傾斜面で構成され、後方側が垂直面で構成されている。これにより、ハウジングカバー２へハウジング台３が挿入されていくときは、抜け止め突起３７ａがひっかかることなく弾性抜け止め片３７が上方へ退避し、奥まで挿入されると素材の弾性力によって弾性抜け止め片３７が下方へ復帰して、抜け止め突起３７ａがハウジングカバー２の抜け止め凹部２３（図２参照）に係合する。
【００４２】
装着突起３５は、各収納空間３８の接続方向（前後方向）の中央付近に左右対称に設けられている。またこの装着突起３５は、前後方向に並ぶ仕切り板３２の間の位置に設けられている。
【００４３】
この装着突起３５は、左右両方が上方へ突出し、その上端付近に内側へ突出する抜け止め突起３６が設けられている。この装着突起３５により、ツイストペアケーブル４の圧着端子６を挟持して抜け止めすることができる。
【００４４】
ツイストペアケーブル４は、２つの端子付き被覆電線５によって構成されている。この端子付き被覆電線５は、被覆電線７の先端に圧着端子６が接続されて構成されている。そして、ツイストペアケーブル４は、この端子付き被覆電線５の被覆電線７が互い違いに螺旋状にツイストされて構成されている。
【００４５】
図４（Ａ）に示すように、端子付き被覆電線５の圧着端子６は、先端側の内部中空の円柱形状に形成されたボックス部５１と、電線導体６１を圧着するワイヤーバレル５６と、絶縁被覆６２を圧着するインシュレーションバレル５８とで主に構成されている。この圧着端子６は、表面が錫メッキ（Ｓｎメッキ）された黄銅等の銅合金条に、打ち抜き加工及び折曲加工を施して立体構成したオープンバレル型端子である。
【００４６】
ボックス部５１の底面には、図４（Ｂ）に示すように係合孔５３が設けられており、この係合孔５３の両横に下方へ突出するスタビライザ５４が左右対称に形成されている。このスタビライザ５４は、下方へ突出する板状の突起であり、底辺が水平、前後に位置する両側辺（右辺および左辺）が垂直に形成されている。
【００４７】
ボックス部５１の底面の前方端には、挿入される雄型端子に接触する接触片５２が設けられている。この接触片５２は、図４（Ｃ）に示すように、板形状を曲げ加工して製造することができ、ボックス部５１の底面の前方端から上後方へ湾曲し、そこから上後方へ上がってから下後方へ下がる山形に形成されている。この接触片５２の山形の頂点５２ａは、ボックス部５１の天井面に近接しており、山形の後端となる端部５２ｂは、頂点５２ａより下方位置で係合孔５３の上方に位置している。
【００４８】
これにより、ボックス部５１の先端に設けられた挿入口５５から雄型端子が挿入されると、頂点５２ａに接触して下方へ押圧し、接触片５２の山形部分全体が傾倒して端部５２ｂが下方へ下がる。そして、接触片５２の弾性力によって復帰する方向へ付勢するから、雄型端子に接触片５２の頂点５２ａが接触し続け、良好に通電が行われる状態を維持する。
【００４９】
ワイヤーバレル５６とインシュレーションバレル５８は、ボックス部５１の底部が基部側（被覆電線７側）に伸びた板状部を曲げ加工して形成される。  
ワイヤーバレル５６は、まず断面Ｕ字型に形成され、そのＵ字形状内側に電線導体６１を収納した状態で両上端を内側下方へ曲げ加工してＭ字型に形成されることで、電線導体６１をしっかりと圧着し通電する。
【００５０】
インシュレーションバレル５８は、まず断面Ｕ字型に形成され、そのＵ字形状内側に絶縁被覆６２を収納した状態で両上端を内側下方へ曲げ加工してＭ字型に形成されることで、絶縁被覆６２をしっかりと圧着する。
【００５１】
被覆電線７は、銅素線を束ねた銅芯線である電線導体６１と、この電線導体６１を絶縁樹脂で被覆する絶縁被覆６２とで構成されている。
【００５２】
このようにワイヤーバレル５６で被覆電線７の先端部７ａの電線導体６１を固定して通電し、かつインシュレーションバレル５８で先端部７ａの絶縁被覆６２を固定することで、被覆電線７の先端部７ａに圧着端子６がしっかり圧着される。
【００５３】
次に、これらのハウジングカバー２、ハウジング台３、およびツイストペアケーブル４を用いてコネクタ１を製造する方法について説明する。  
図５は、ツイストペアケーブル４をハウジング台３に取り付けた状態の斜視図を示し、図６は、取付時の構造を断面図により説明する説明図を示し、図７は、このツイストペアケーブル４付きハウジング台３をハウジングカバー２に挿入する前の斜視図を示し、図８は挿入途中を底面側から見た斜視図を示し、図９は完成したコネクタ１の縦断面図を示す。
【００５４】
図５に示すように、まず、隣り合う２つの収納空間３８（図３参照）にツイストペアケーブル４の各圧着端子６がそれぞれ収納されて装着突起３５に取り付ける取付ステップを実行する。圧着端子６を取り付ける際、ハウジング台３の収納空間３８に対して、圧着端子６に雄型端子が挿入される方向（圧着端子６の長手方向）と垂直な方向である上下方向（取付方向）に取り付ける。従って、ツイストペアケーブル４の被覆電線７を撚り戻さずとも２つの圧着端子６をハウジング台３に取り付けることができる。
【００５５】
詳述すると、図６（Ａ）に示すように、対向配置された装着突起３５の間には収納空間３８が形成されていると共に、この収納空間３８の上部に開放部３８ａが設けられている。この開放部３８ａから矢印に示すように圧着端子６が下方へ押し込まれると、図６（Ｂ）に示すように装着突起３５が広がる方向へ一次的に変形する。そこからさらに奥まで圧着端子６が押し込まれると、図６（Ｃ）に示すように装着突起３５が自身の弾性力によって復帰して、抜け止め突起３６により圧着端子６のワイヤーバレル５６を抜け止めする。
【００５６】
この取付の際、２つの圧着端子６を同時に各収納空間３８の装着突起３５に取り付けても良いが、圧着端子６の位置方向を２極合わせることが作業上困難であれば、１つずつ圧着端子６を収納空間３８の装着突起３５に取り付けると良い。具体的に説明すると、図３に示したように、ツイストペアケーブル４の各圧着端子６を２つの収納空間３８の上にそれぞれ軽く置き、一方の圧着端子６のワイヤーバレル５６を位置方向の微調整の後に装着突起３５に押し込んでパチンと取り付け、次いで他方の圧着端子６のワイヤーバレル５６を位置方向の微調整の後に装着突起３５に押し込んでパチンと取り付けて図５に示した取付状態とすることができる。
【００５７】
このように１つずつ圧着端子６を装着突起３５に取り付ける場合でも、従来のように長手方向に長い距離を挿入するのとは異なり、圧着端子６の厚み方向に短い距離の押し込みで済むため、被覆電線７を撚り戻す必要がない。従って、図示するように、２つの圧着端子６の間に位置する内部仕切り板３２ｂの後端からすぐに被覆電線７のツイストが始まる状態で取り付けることができる。また、撚り戻して再度より合わせるといったことをせずともこの状態でとりつけることができるため、ツイストの状態、すなわち各被覆電線７の発生磁界を互いに打ち消すことができる状態をほとんど変化させることなく良好に保つことができる。
【００５８】
この取付の際、圧着端子６は、ワイヤーバレル５６が対向配置された装着突起３５の間に嵌め込まれることで、抜け止め突起３６によって抜け止めされて固定される。２つの装着突起３５により圧着端子６の幅方向の位置が規制され、また抜け止め突起３６によって圧着端子６が上方へ抜け出ないように上下方向の位置が規制される。
【００５９】
特に、収納空間３８の底面から抜け止め突起３６までの高さは、ワイヤーバレル５６の底面から抜け止め突起３６との当接部までの高さとほぼ一緒に形成されており、これによって圧着端子６が上下方向にズレないようにしっかり固定される。また、この状態で、ボックス部５１の底面とインシュレーションバレル５８の底面が収納空間３８の底面に接触するため、圧着端子６がハウジング台３に対して揺動することなくしっかりと固定される。
【００６０】
また、隣合う仕切り板３２（３２ａ，３２ｂ）の間隔は、圧着端子６のボックス部５１の幅とほぼ同一かわずかに大きい程度に形成されているため、ボックス部５１の左右方向の位置が仕切り板３２によっても規制される。
【００６１】
また、ボックス部５１のスタビライザ５４が、位置決め端面３３に接触して係止されるため、圧着端子６の前後方向の位置がこれによって固定される。
【００６２】
また、インシュレーションバレル５８と該インシュレーションバレル５８が圧着されている被覆電線７の先端部７ａも幅方向両端が仕切り板３２で挟まれているため、左右方向にズレ動かないよう位置規制される。
【００６３】
このように、圧着端子６の中央付近に位置するワイヤーバレル５６が装着突起３５によって挟持されて幅方向および取付方向（上下方向）にズレ動かないよう固定されるとともに、圧着端子６の底面（特にボックス部５１の底面とインシュレーションバレル５８の底面）が支持台部３１の上面（すなわち収納空間３８の床面）に接触することで圧着端子６が取付方向（上下方向）に揺動しないように固定され、さらに仕切り板３２に圧着端子６の両側（特にボックス部５１の両側とインシュレーションバレル５８の両側）が接触若しくは近接するため幅方向にも揺動しないように固定され、その上圧着端子６のスタビライザ５４がハウジング台３の位置決め端面３３に当接して前後方向に移動しないよう係止されるため、圧着端子６がいずれの方向にもズレ動くことや揺動することが無いように安定して強固にハウジング台３に固定される。
【００６４】
次に、このようにツイストペアケーブル４が固定されたハウジング台３を、図７に示すように、ハウジングカバー２の開口１８から収納空間１７へ挿入する被覆ステップを実行する。このとき、ハウジング台３の幅がハウジングカバー２の収納空間１７の幅と同じか若干狭い構成であるため、左右の外部仕切り板３２ａの各側面が収納空間１７の側壁に接触してスムーズに挿入される。また、ハウジング台３の高さ（特に外部仕切り板３２ａの高さ）がハウジングカバー２の収納空間１７の高さと同じか若干低い構成であるため、ハウジング台３の底面が収納空間１７の床面に接触しハウジング台３の上面（外部仕切り板３２ａの上面）が収納空間１７の天井面に接触してスムーズに挿入される。
【００６５】
挿入の際、図８に示すように、ハウジング台３の底面に幅方向中央位置で前後方向に長い凸状に形成されたガイドレール３９がハウジングカバー２の収納空間１７の床面に形成されたガイド溝２５にガイドされるため、スムーズに挿入されるとともに、上下逆向きに挿入されることが防止される。
【００６６】
そして、ハウジング台３がハウジングカバー２の収納空間１７に完全に挿入されると、ハウジングカバー２の係合凹部１５にハウジング台３の係合突起３４が当接し、これ以上挿入されないように係止される。
【００６７】
またこの状態まで挿入されると、ハウジング台３の弾性抜け止め片３７に設けられた抜け止め突起３７ａがハウジングカバー２の抜け止め凹部２３に入り込む。そして、図９の縦断面図に示すように、抜け止め突起３７ａの後方に設けられた垂直面が抜け止め凹部２３の抜け止め係止面２３ａに当接してしっかりと抜け止めされる。
【００６８】
また、このようにして奥まで挿入された状態のとき、ツイストペアケーブル４の圧着端子６に設けられた係合孔５３に、ハウジングカバー２の収納空間１７の床面に突出して設けられた抜け止め突起２１の上端が入り、圧着端子６を固定する。これにより、ハウジングカバー２に対して圧着端子６が直接固定され、強度を高めるとともに、ハウジングカバー２の挿入穴１３に対する圧着端子６の挿入口５５の位置精度を安定させることができる。
【００６９】
詳述すると、矢印Ｙに示す方向に雄型端子が挿入されると、圧着端子６の接触片５２に当たってツイストペアケーブル４およびハウジング台３が抜き出される方向に押圧される。このとき、仮に抜け止め突起２１が無ければ、圧着端子６のスタビライザ５４がハウジング台３の位置決め端面３３を押圧しつつ係止され、ハウジング台３の抜け止め突起３７ａが抜け止め係止面２３ａを押圧しつつ係止されて、この構造のみによって抜け止めされる。そうすると、圧着端子６にかかる押圧力がハウジング台３を介してハウジングカバー２に受けられることとなり、その間で様々な方向に力がかかって不具合に繋がる可能性が出てくる。また圧着端子６が押圧される接触片５２からハウジングカバー２の抜け止め係止面２３ａまでの距離も長いため、その間での変形等の原因にもなり得る。
【００７０】
これに対して、抜け止め突起２１によって圧着端子６をハウジングカバー２に直接固定することで、雄型端子の挿入により圧着端子６にかかる力を、ハウジングカバー２で直接受け止めることができる。しかも、圧着端子６が押圧される接触片５２に非常に近い位置に設けられた抜け止め突起２１で固定されているため、様々な方向に力がかかって変形や不具合が発生することを防止できる。
【００７１】
以上の構成および製造方法により、ツイストペアケーブル４の圧着端子６をハウジング台３に容易に固定することができ、かつ通信品質の低下を防止することができる。すなわち、圧着端子６を厚み方向にハウジング台３に取り付けることができるため、従来のように長手方向に挿入する場合であれば撚り戻しが不可欠であったところを、撚り戻すことなく取り付けることができる。
【００７２】
また、装着突起３５が横並びに配置されているため、ツイストペアケーブル４の圧着端子６を横並びの状態のままで厚み方向へ取り付けることができ、被覆電線の撚り戻し無く取り付けることを容易に実現できる。
【００７３】
また、装着突起３５が圧着端子６の幅方向の位置を規制する構成のため、圧着端子６を厚み方向である上下方向に取り付けて位置決めすることを容易に実現することができる。特に、装着突起３５により圧着端子６のワイヤーバレル５６を挟持するため、圧着端子６を嵌め込み式でハウジング台３に取り付けることができ、作業の容易性と嵌め込み後の取り付けの安定性とを両立することができる。
【００７４】
また、装着突起３５が弾性を有するため、被覆電線７の太さに応じてワイヤーバレル５６の太さが様々に異なる各種のツイストペアケーブル４を、いずれも同じハウジング台３に取り付けることができる。
【００７５】
また、装着突起３５に抜け止め突起３６が設けられているため、ツイストペアケーブル４の圧着端子６を１つずつ装着突起３５に取り付ける際に、次の圧着端子６の取り付け作業中に先に取り付けた圧着端子６が装着突起３５から抜け出ることを防止でき、取り付け作業を容易にすることができる。
【００７６】
また、圧着端子６の係合孔５３とハウジング台３の抜け止め突起２１、および圧着端子６のスタビライザ５４とハウジング台３の内部仕切り板３２ｂにより圧着端子６の長手方向の位置規制を行うため、相手方となる雄型端子が挿入接続される際に圧着端子６の位置が長手方向にずれることを防止できる。
【００７７】
また、コネクタハウジング１０をハウジングカバー２とハウジング台３とで構成したため、ハウジング台３にツイストペアケーブル４の圧着端子６を取り付けてからハウジング台３とハウジングカバー２とを接続することができる。このため、容易に作業することができる。また、接続したハウジング台３とハウジングカバー２とを、抜け止め突起３７ａと抜け止め凹部２３により抜け止めして固定することができる。
【実施例２】
【００７８】
図１０は、実施例２のコネクタハウジング１１０およびツイストペアケーブル１０４を示す斜視図、図１１は、コネクタハウジング１１０にツイストペアケーブル１０４を取り付けた状態のコネクタ１０１の斜視図、図１２は完成したコネクタ１０１の斜視図、図１３はコネクタ１０１の構成を縦断面図により示す説明図である。
【００７９】
図１０に示すように、ツイストペアケーブル１０４は、圧着端子６のボックス部５１の底面に設けられるスタビライザ１５４の位置が実施例１と異なっている。このスタビライザ１５４は、圧着端子６の開口５５側の端部底面に下方へ突出して設けられている。ツイストペアケーブル１０４のその他の構成は、実施例１と同一であるため、同一要素に同一符号を付してその詳細な説明を省略する。
【００８０】
コネクタハウジング１１０は、ハウジング台１０３にハウジングカバー１０２が開閉可能に接続されて構成されている。
【００８１】
ハウジング台１０３は、ハウジングカバー１０２を取り付ける回動支持部１７０が前方上部に突出して設けられている。この回動支持部１７０は、幅方向に長い回動支持溝１７１が設けられており、この回動支持溝１７１がハウジングカバー１０２の回動軸１８１を回動可能に支持する。
【００８２】
ハウジング台１０３の外部仕切り板１３２ａは、前後方向に長い板状に形成されており、内側の装着突起３５の対向位置に凹部１４０が設けられている。この凹部１４０により、装着突起３５が幅方向外側へ広がることを可能にし、かつ、外部仕切り板１３２ａで側面全体を被覆できるように構成している。
【００８３】
ハウジング台１０３の外部仕切り板１３２ａの後端上部には、カバー係止部１７３が左右対称に設けられている。このカバー係止部１７３は、閉じられたハウジングカバー１０２の係止部１８３と嵌合し、ハウジングカバー１０２が意図せず開いてしまわないように固定する。
【００８４】
ハウジング台１０３の収納空間３８の前方端部には、複数の位置決め孔１３３が設けられている。この位置決め孔１３３は、１つの収納空間３８に対して２つ設けられており、ツイストペアケーブル４の各圧着端子６のスタビライザ１５４が挿入されて、圧着端子６の位置を適切に固定する。
【００８５】
ハウジングカバー１０２は、板状のカバー部１８２と、その一辺に設けられた回動軸１８１により主に構成されている。
【００８６】
その他の構成は、実施例１と同一であるため、同一要素に同一符号を付してその詳細な説明を省略する。
【００８７】
以上の構成により、実施例１と同様の作用効果を得ることができる。例えば、コネクタ１０１は、図１０に矢印で示すように、ハウジング台１０３の収納空間３８へのツイストペアケーブル１０４の圧着端子６の収納、取り付けをする取付ステップを、長手方向と垂直な厚み方向に圧着端子６を押し込む簡単な操作で実現することができる。
【００８８】
取り付けの際、隣り合う２つの収納空間３８の上にツイストペアケーブル１０４の２つの圧着端子６をそれぞれ乗せ、図１３（Ａ）に示すように、スタビライザ１５４を位置決め孔１３３に挿入した状態でワイヤーバレル５６を装着突起３５にパチンとはめ込むことができる。
【００８９】
図１１に示すように、ハウジング台１０３の収納空間３８にツイストペアケーブル１０４の圧着端子６を取り付けると、被覆ステップとして図１２に示すようにハウジングカバー２を倒して閉じるだけで、図１３（Ｂ）に示すようにコネクタ１０１を容易に完成させることができる。
【００９０】
また、圧着端子６を撚り戻す必要がないため、ハウジング台１０３に容易に装着して良好な通信状態とすることができる。
【００９１】
以上の各実施例では雌型の圧着端子６を有するツイストペアケーブル４，１０４を用いたが、これに限らず雄型の圧着端子を有するツイストペアケーブルを用いるなど、様々なツイストケーブルを用いることができる。
【００９２】
また、ツイストペアケーブル４，１０４は、圧着端子６の代わりに、溶接により被覆電線７に接続する接続端子を用いることもできる。  
また、コネクタ１，１０１は、雄型のコネクタとしたが、これに限らず雌型のコネクタとすることもできる。
【００９３】
この発明の構成と、上述の実施形態との対応において、
この発明のカバー部は、実施形態のハウジングカバー２，１０２に対応し、
以下同様に、
配置台部は、ハウジング台３，１０３に対応し、
ツイスト電線は、ツイストペアケーブル４，１０４に対応し、
取付部および挟持部材は、装着突起３５に対応し、
取付部および仕切り部材は、仕切り板３２に対応し、
抜止部は、抜け止め突起３６に対応し、
ハウジング抜止部は、抜け止め突起３７ａと抜け止め凹部２３に対応し、
長手方向位置規制部は、スタビライザ５４と位置決め端面３３、およびスタビライザ１５４と位置決め孔１３３に対応し、
弾性材は、樹脂に対応し、
接続部は、ボックス部５１に対応するが、
この発明は、上述の実施形態の構成のみに限定されるものではなく、多くの実施の形態を得ることができる。
【産業上の利用可能性】
【００９４】
この発明は、被覆電線をツイストさせたツイスト電線を接続したコネクタを用いる様々な分野に利用することができる。
【符号の説明】
【００９５】
１，１０１…コネクタ、２，１０２…ハウジングカバー、３，１０３…ハウジング台、４，１０４…ツイストペアケーブル、６…圧着端子、７…被覆電線、１０，１１０…コネクタハウジング、２３…抜け止め凹部、３３…位置決め端面、３５…装着突起、３６…抜け止め突起、３７ａ…抜け止め突起、３８ａ…開放部、５４…スタビライザ、１３３…位置決め孔、１５４…スタビライザ
【図１】
0005598849.tif 000002
【図２】
0005598849.tif 000003
【図３】
0005598849.tif 000004
【図４】
0005598849.tif 000005
【図５】
0005598849.tif 000006
【図６】
0005598849.tif 000007
【図７】
0005598849.tif 000008
【図８】
0005598849.tif 000009
【図９】
0005598849.tif 000010
【図１０】
0005598849.tif 000011
【図１１】
0005598849.tif 000012
【図１２】
0005598849.tif 000013
【図１３】
0005598849.tif 000014